(57)【要約】【課題】コストを低減することができるとともに、小型化が可能であり、さらにＬＥＤ等の搭載が可能な高機能の液晶表示装置を提供する。【解決手段】液晶パネル１と片面にのみ配線パターン１３が形成されている片面配線基板２とを備えており、前記液晶パネル１と前記片面配線基板２とが接続されている液晶表示装置であって、前記片面配線基板２が、前記液晶パネル１の端面より、前記液晶パネル１の中心側に位置している液晶表示装置において、前記液晶パネル１と前記片面配線基板２の配線パターン１３とが、向かい合うように設けられている。【選択図】　図１
2004037777.tif 000002
【特許請求の範囲】
【請求項１】
液晶パネルと片面にのみ配線パターンが形成されている駆動用回路基板とを備えており、前記液晶パネルと前記駆動用回路基板とが接続されている液晶表示装置において、
前記液晶パネルと前記駆動用回路基板の配線パターンとが、向かい合うように設けられていることを特徴とする液晶表示装置。
【請求項２】
前記駆動用回路基板の外周が、前記液晶パネルの端面より、前記液晶パネルの中心側に位置していることを特徴とする請求項１に記載の液晶表示装置。
【請求項３】
前記液晶パネルが透過型、または半透過型であって、前記駆動用回路基板にＬＥＤが搭載されているとともに、前記液晶パネルと前記駆動用回路基板との間に、発光補助装置が設けられていることを特徴とする請求項１に記載の液晶表示装置。
【発明の詳細な説明】
【０００１】
【発明の属する技術分野】
本発明は、液晶パネルと駆動用回路基板とを備えている液晶表示装置に関するものである。
【０００２】
【従来の技術】
液晶表示装置は、液晶表示装置を駆動させるための半導体素子を搭載している駆動用回路基板と、液晶パネルとが接続されているものである。
【０００３】
駆動用回路基板は、用途に応じてＣｕ等による配線パターンを基板に形成することにより、回路を自由に設計できる。一方、駆動用回路基板の価格は、その配線パターンが形成されている領域の面積の大きさに比例する。即ち、配線パターンを片面に形成するか、両面に形成するかによって、その価格が大きく異なることになる。
【０００４】
そのため、ここでは、両面に配線パターンが形成されている駆動用回路基板（両面配線基板）に比べて、低価格である片面にのみ配線パターンが形成されている駆動用回路基板（片面配線基板）を用いた、従来の液晶表示装置について以下に説明する。
【０００５】
図５は、従来の液晶表示装置の要部の構成を示す断面図である。この図５に示すように、従来の液晶表示装置は、液晶パネル５１と、片面配線基板５２と、バックライトユニット５６とを備えている。
【０００６】
液晶パネル５１は、画像を映し出すものである。また、液晶パネル５１は、液晶パネル１の片面配線基板５２が設けられている側の面に、片面配線基板５２と接続するための図示しない外部接続用電極端子を有している。
【０００７】
バックライトユニット５６は、液晶パネル５１と片面配線基板５２との間に挟み込まれるように設けられている。バックライトユニット５６は、図示しないＬＥＤ（Ｌｉｇｈｔ　Ｅｍｉｔｔｉｎｇ　Ｄｉｏｄｅ）等の光源の光を均一に、液晶パネル５１の全面に向かって、平面状に供給する発光補助装置である。
【０００８】
片面配線基板５２は、フレキシブルフィルム６２の片面にのみ配線パターン６３が形成されている駆動用回路基板であり、半導体素子５３、抵抗５４を備えている。半導体素子５３は、液晶表示装置を駆動させるものであり、後述する接続部５９と配線パターン６３を介して電気的に接続されている。抵抗５４は、片面配線基板５２の回路に流れる電流の量を調節するためのものである。
【０００９】
また、図６は、従来の片面配線基板５２の概略構成を示す平面図である。この図６に示すように、片面配線基板５２は、半導体素子５３及び抵抗５４に加えて、さらに入力端子５０、接続部５９を備えている。入力端子５０は、液晶表示装置を駆動させるための外部からの信号を、片面配線基板５２に伝えるためのものである。接続部５９は、片面配線基板５２を、液晶パネル５１の外部接続用電極端子と接続させるためのものである。
【００１０】
また、液晶パネル５１の外部接続用電極端子と片面配線基板５２とは、液晶パネル５１と片面配線基板５２とが重ならない方向に、接続部５７を介して接続される。即ち、液晶パネル５１と片面配線基板５２とが重なるのは、接続部５７のみである。そして、この液晶表示装置の小型化に対応するため、片面配線基板５２は、液晶パネル５１側に１８０°折りたたまれている。
【００１１】
また、接続部５７以外では、片面配線基板５２の配線パターン６３が形成されている面は、液晶パネル５１と向かい合っていない。
【００１２】
【発明が解決しようとする課題】
しかしながら、上述のような従来の液晶表示装置では、図５に示すように、片面配線基板５２の接続部５９は、液晶パネル５１と接続された状態で折り曲げられるため、折り曲げるための領域（折り曲げしろ）が必要である。このため、図６に示すように、どうしても接続部５９の端部から半導体素子５３までの距離（Ｂの距離）が長くなってしまう。従って、片面配線基板５２の面積が大きくなり、コスト低減の妨げになるという問題がある。
【００１３】
また、図５に示すように、片面配線基板５２の折り曲げられている領域であって、液晶パネル５１の端面５１ａからはみ出している領域５８が存在する。このため、液晶表示装置の小型化を図ることが困難になるという問題がある。
【００１４】
また、コスト低減のため、片面配線基板５２は片面にのみ配線パターン６３が形成されており、しかも、接続部５７以外では、その配線パターン６３が形成されている面は、液晶パネル５１と向かい合っていない。このため、例えば、片面配線基板５２には、液晶パネル５１に光を照射して表示情報を可視化するための光源であるＬＥＤを搭載することができない。従って、液晶表示装置の高機能化に対応できないという問題がある。
【００１５】
本発明は、上記の問題点に鑑みてなされたものであり、その目的は、コストを低減することができるとともに、小型化が可能であり、さらにＬＥＤ等の搭載が可能な高機能の液晶表示装置を提供することにある。
【００１６】
【課題を解決するための手段】
本発明に係る液晶表示装置は、上記の課題を解決するために、液晶パネルと片面にのみ配線パターンが形成されている駆動用回路基板とを備えており、前記液晶パネルと前記駆動用回路基板とが接続されている液晶表示装置において、前記液晶パネルと前記駆動用回路基板の配線パターンとが、向かい合うように設けられていることを特徴としている。
【００１７】
上記の構成によれば、本発明に係る液晶表示装置において、液晶パネルと駆動用回路基板とは、液晶パネルと駆動用回路基板との接続部以外の領域でも、駆動用回路基板の配線パターンと液晶パネルとが対向するように設けられている。
【００１８】
このため、液晶パネルと駆動用回路基板とを接続した後に、小型化のために駆動用回路基板を折り曲げる必要がなくなる。即ち、駆動用回路基板と液晶パネルとが重なるように接続されることによって、駆動用回路基板に折り曲げしろが必要なくなる。従って、駆動用回路基板の面積を小さくすることができ、液晶表示装置のコスト低減に貢献できる。
【００１９】
また、本発明に係る液晶表示装置は、上記の課題を解決するために、上記の構成において、前記駆動用回路基板の外周が、前記液晶パネルの端面より、前記液晶パネルの中心側に位置していることを特徴としている。
【００２０】
上記の構成によれば、本発明に係る液晶表示装置において、駆動用回路基板の外周は、前記液晶パネルの端面からはみ出すことはない。即ち、液晶パネルのパネル面の法線方向から見た場合に、液晶パネルの端面から、駆動用回路基板がはみ出すことを防止できる。このため、液晶表示装置の更なる小型化を図ることが可能である。
【００２１】
なお、ここでいう液晶パネルの端面とは、液晶パネルの中心から最も遠い部分の面をいう。また、液晶パネルの中心側とは、液晶パネルの端面からはみ出す方向（側）ではなく、液晶パネルと重なる方向（側）をいう。
【００２２】
また、本発明に係る液晶表示装置は、上記の課題を解決するために、上記の構成において、前記液晶パネルが透過型、または半透過型であって、前記駆動用回路基板にＬＥＤが搭載されているとともに、前記液晶パネルと前記駆動用回路基板との間に、発光補助装置が設けられていることを特徴としている。
【００２３】
上記の構成によれば、液晶パネルに向けてＬＥＤを駆動用回路基板に搭載することが可能である。従って、液晶表示装置の高機能化を実現できる。
【００２４】
なお、発光補助装置（バックライトユニット）とは、光源（ＬＥＤ）の光を均一に、液晶パネルの全面に向かって、平面状に供給するものである。
【００２５】
【発明の実施の形態】
〔実施の形態１〕
本発明に係る液晶表示装置に関する実施の一形態について以下に説明する。
【００２６】
図１は、本実施の形態に係る液晶表示装置（以下、本液晶表示装置と呼ぶ）の要部の構成を示す断面図である。この図１に示すように、本液晶表示装置は、液晶パネル１と、片面配線基板２とを備えている。
【００２７】
液晶パネル１は、映像を映し出すものであり、片面配線基板２と液晶パネル１とを接続するための図示しない外部接続用電極端子を有している。
【００２８】
片面配線基板２は、フレキシブルフィルム１２の片面にのみ配線パターン１３が形成されている駆動用回路基板であり、半導体素子３、抵抗４を備えている。片面配線基板２の基板としては、絶縁性を有し、かつ折り曲げ可能な材料である、ポリイミドやポリエステル等を薄いフィルム状にしたものを用いることができる。なお、配線パターン１３は、銅等の導体から構成されている。また、片面配線基板２は、用途に応じて種々の形状に設計することが可能である。
【００２９】
半導体素子３は、本液晶表示装置を駆動させるものであり、接続部９と配線パターン１３を介して電気的に接続されている。抵抗４は、片面配線基板２の回路に流れる電流の量を調節するためのものである。
【００３０】
また、図３は、本液晶表示装置の概略構成を示す平面図である。この図３に示すように、本液晶表示装置は、半導体素子３及び抵抗４に加えて、さらに接続部９、入力端子１０を備えている。接続部９は、液晶パネル１の外部接続用電極端子と片面配線基板２とを接続させるためのものである。入力端子１０は、本液晶表示装置を駆動させるための外部からの信号を、片面配線基板２に伝えるためのものである。
【００３１】
また、片面配線基板２の接続部９と液晶パネル１の外部接続用電極端子とは、図１に示すように、接続部７を介して接続されており、片面配線基板２の外周は、液晶パネル１の端面１ａからはみ出すことなく、液晶パネル１と重なっている。また、この接続部７以外の位置でも、液晶パネル１と片面配線基板２とは、液晶パネル１と片面配線基板２の配線パターン１３が形成されている面とが向かい合うように設けられている。なお、この接続部７以外の位置では、液晶パネル１と片面配線基板２とは接していない。また、液晶パネル１の外部接続用電極端子と接続する片面配線基板２は一つであってもよいし、複数であってもよい。
【００３２】
上記構成によれば、片面配線基板２の接続部９と液晶パネル１の外部接続用電極端子とを接続させた後、液晶表示装置の小型化のために片面配線基板２を折り曲げる必要はなくなる。このため、片面配線基板２は、折り曲げしろを必要としない。即ち、図３に示すように、片面配線基板２における、接続部９の端部から半導体素子３までの距離（Ａの距離）が必要最短になるように、駆動用回路基板を設計することができる。従って、面積に応じて価格が決まる片面配線基板２の面積を従来に比べて小さくすることができるため、本液晶表示装置のコストの低減に貢献することができる。また、従来のように小型化に対応するために、片面配線基板２を折り曲げることにより、折り曲げしろの領域が液晶パネル１からはみ出すことによって、本液晶表示装置が大型化することを防げる。
【００３３】
なお、片面配線基板２には半導体素子３や抵抗４のみでなく、コンデンサ等の種々の電子部品等が搭載されていてもよい。また、片面配線基板２に搭載される半導体素子３や電子部品等は、一つだけでなく、複数個搭載されていてもよい。
【００３４】
〔実施の形態２〕
本発明に係る液晶表示装置に関する他の実施形態について、以下に説明する。
【００３５】
なお、説明の便宜上、前記実施形態１にて説明した部材と同じ機能を有する部材については、同じ符号を付記し、その説明を省略する。本実施の形態では、前記実施形態１との相違する部材について説明するものとする。
【００３６】
図２は、本発明の実施の一形態に係る他の液晶表示装置の要部の構成を示す断面図である。この図２に示すように、本実施の形態に係る液晶表示装置は、前記実施形態１同様、液晶パネル１と、片面配線基板２とを備えている。また、液晶パネル１と片面配線基板２とは、液晶パネル１と片面配線基板２の配線パターン１３とが向かい合うように設けられている。なお、液晶パネル１は、透過型または半透過型（透過反射兼用型）構造の液晶パネルであることが好ましい。
【００３７】
さらに、本実施の形態に係る液晶表示装置は、ＬＥＤ５と、バックライトユニット６とを備えている。
【００３８】
ＬＥＤ５は、片面配線基板２に搭載されており、バックライトユニット６の端部に位置している。ＬＥＤ５は、自ら発光する自発光素子であり、バックライトユニット６の端部に光を照射して、液晶パネル１に形成された表示情報を可視化するための光源として働くものである。
【００３９】
バックライトユニット６は、液晶パネル１と片面配線基板２との間に挟み込まれるように設けられている。バックライトユニット６は、光源であるＬＥＤ５の光を均一に、液晶パネル１の全面に向かって、平面状に供給する発光補助装置である。
【００４０】
本実施の形態によれば、液晶パネル１と片面配線基板２とは、液晶パネル１と片面配線基板２との接続部７以外の位置でも、片面配線基板２の配線パターン１３と液晶パネル１とが向かい合うように設けられている。このため、本実施の形態に係る液晶表示装置では、液晶パネル１に向けてＬＥＤ５を片面配線基板２に搭載することが可能である。従って、高機能の液晶表示装置を提供できる。
【００４１】
また、本実施の形態においても、前記実施形態１同様、片面配線基板２の面積を小さくすることができ、液晶表示装置のコストの低減並びに小型化に貢献できることはいうまでもない。
【００４２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００４３】
【発明の効果】
本発明の液晶表示装置は、以上のように、液晶パネルと片面にのみ配線パターンが形成されている駆動用回路基板とを備えており、前記液晶パネルと前記駆動用回路基板とが接続されている液晶表示装置において、前記液晶パネルと前記駆動用回路基板の配線パターンとが、向かい合うように設けられているという構成である。
【００４４】
上記の構成によれば、駆動用回路基板を折り曲げた状態で液晶パネルと接続させる必要はなくなる。このため、駆動用回路基板に折り曲げしろが必要なくなり、駆動用回路基板の面積を小さくすることができる。従って、液晶表示装置の小型化だけでなく、コスト低減にも貢献できるという効果を奏する。
【００４５】
また、本発明に係る液晶表示装置は、前記駆動用回路基板が、前記液晶パネルの端面より、前記液晶パネルの中心側に位置しているという構成である。
【００４６】
上記の構成によれば、液晶パネルからはみだす駆動用回路基板の部分をなくすことができる。従って、液晶表示装置の更なる小型化に対応できるという効果を奏する。
【００４７】
また、本発明に係る液晶表示装置は、上記の構成において、前記液晶パネルが透過型、または半透過型であって、前記駆動用回路基板にＬＥＤが搭載されているとともに、前記液晶パネルと前記駆動用回路基板との間に、発光補助装置が設けられているという構成である。
【００４８】
上記の構成によれば、液晶パネルに向けてＬＥＤを駆動用回路基板に搭載することが可能である。従って、液晶表示装置の高機能化を実現できるという効果を奏する。
【図面の簡単な説明】
【図１】本発明の実施の一形態に係る液晶表示装置の要部の構成を示す断面図である。
【図２】本発明の実施の一形態に係る他の液晶表示装置の要部の構成を示す断面図である。
【図３】上記本発明に係る液晶表示装置の概略構成を示す平面図である。
【図４】従来の液晶表示装置の要部の構成を示す断面図である。
【図５】上記従来の液晶表示装置の概略構成を示す平面図である。
【符号の説明】
１　　液晶パネル
１ａ　　端面
２　　片面配線基板（駆動用回路基板）
３　　半導体素子
４　　抵抗
５　　ＬＥＤ
６　　バックライトユニット（発光補助装置）
７　　接続部
９　　接続部
１０　　入力端子
１２　　フレキシブルフィルム
１３　　配線パターン
【図１】
2004037777.tif 000003
【図２】
2004037777.tif 000004
【図３】
2004037777.tif 000005
【図４】
2004037777.tif 000006
【図５】
2004037777.tif 000007